【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
物品を載置する梱包装置であって、梱包装置本体としてのベース部と、該ベース部の上方に空間を形成して配置される受板と、該受板と前記ベース部の間に介在するよう設けられた緩衝部材とを有することを特徴とする梱包装置。
【請求項２】
前記受板の裏面に補強リブが設けられていることを特徴とする、請求項１に記載の梱包装置。
【請求項３】
前記補強リブとして、前記受板の外周部に設けられた外周リブを有することを特徴とする、請求項２に記載の梱包装置。
【請求項４】
前記補強リブとして、当該受板の外辺に対して平行又は直交するように延びる縦リブ及び横リブと、当該受板の外辺に対して斜交するように延びる斜行リブとを有することを特徴とする、請求項２又は３に記載の梱包装置。
【請求項５】
前記斜行リブは、前記縦リブ及び横リブよりも高密度に設けられていることを特徴とする、請求項４に記載の梱包装置。
【請求項６】
前記斜行リブは、前記縦リブ及び横リブよりも高さが高く設けられていることを特徴とする、請求項４又は５に記載の梱包装置。
【請求項７】
前記受板は、中央部分の上面を凹ませた絞り形状を有することを特徴とする、請求項１に記載の梱包装置。
【請求項８】
前記ベース部は、前記受板の前記中央部分に対応する部分の高さが周辺部よりも高く形成されていることを特徴とする、請求項７に記載の梱包装置。
【請求項９】
前記受板の上面に、搭載する物品を位置決めするための位置決め部材を装着可能なことを特徴とする、請求項１に記載の梱包装置。
【請求項１０】
前記受板の上面に補強部材が設置されていることを特徴とする、請求項１に記載の梱包装置。
【請求項１１】
前記補強部材が、前記受板上で四方に配置されていることを特徴とする、請求項１０に記載の梱包装置。
【請求項１２】
前記補強部材が、当該梱包装置の幅方向の両側に当該梱包装置の前面から後方に向けて２列に延設されていることを特徴とする、請求項１０に記載の梱包装置。
【請求項１３】
前記補強部材が、前記受板の略全面を覆うように設けられていることを特徴とする、請求項１０に記載の梱包装置。
【請求項１４】
前記緩衝部材を前記受板裏面に係合させる係合手段を備えることを特徴とする、請求項１に記載の梱包装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
また、前記受板は、中央部分の上面を凹ませた絞り形状を有すると好ましい。
【手続補正９】
【補正対象書類名】明細書
【補正対象項目名】００２３
【補正方法】変更
【補正の内容】
【００２３】
また、前記受板の上面に補強部材が設置されていると好ましい。
また、前記補強部材が、前記受板上で四方に配置されていると好ましい。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
また、前記緩衝部材を前記受板裏面に係合させる係合手段を備えると好ましい。
【手続補正１２】
【補正対象書類名】明細書
【補正対象項目名】００３０
【補正方法】変更
【補正の内容】
【００３０】
請求項６の構成により、斜行リブは縦リブ及び横リブよりも高さが高く設けられているので、斜行リブの強度を高めることができる。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】変更
【補正の内容】
【００３８】
請求項７の構成により、受板は中央部分の上面を凹ませた絞り形状を有するので、リブの数を減らすことができ、部材を軽量化することができる。
【手続補正２１】
【補正対象書類名】明細書
【補正対象項目名】００３９
【補正方法】変更
【補正の内容】
【００３９】
請求項８の構成により、ベース部は、受板の中央部分に対応する部分の高さが周辺部よりも高く形成されているので、作業者が誤って受板中央部を踏みつけてしまった場合、ベース部中央部の高くなった部分が受板の中央部分に当接することで、それ以上の受板の撓みを防ぎ、受板の変形や損傷を防ぐことができる。
【手続補正２２】
【補正対象書類名】明細書
【補正対象項目名】００４０
【補正方法】変更
【補正の内容】
【００４０】
請求項９の構成により、受板の上面に搭載する物品を位置決めするための位置決め部材を装着可能なので、搭載した物品を的確に位置決めして載置することができる。
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】変更
【補正の内容】
【００４２】
請求項１０の構成により、受板の上面に補強部材が設置されているので、受板表面を保護・強化し、受板表面の傷つきや損傷を防ぐことができる。
請求項１１の構成により、補強部材が受板上で四方に配置されているので、搭載する物品の脚部等に対応する部分を効果的に保護・強化することができる。
【手続補正２５】
【補正対象書類名】明細書
【補正対象項目名】００４３
【補正方法】変更
【補正の内容】
【００４３】
請求項１２の構成により、補強部材が当該梱包装置の幅方向の両側に当該梱包装置の前面から後方に向けて２列に延設されているので、物品の積み下ろし時に物品の客部等によって受板表面が傷つけられることがない。また、段差が無いため、物品の積み下ろしを容易に行なうことができる。
【手続補正２６】
【補正対象書類名】明細書
【補正対象項目名】００４４
【補正方法】変更
【補正の内容】
【００４４】
請求項１３の構成により、補強部材が受板の略全面を覆うように設けられているので、物品の積み下ろし時に物品の脚部等によって受板表面が傷つけられることがない。また、段差が無いため、物品の積み下ろしを容易に行なうことができる。さらに、補強部材の受板への装着作業に手間が掛からない。
【手続補正２７】
【補正対象書類名】明細書
【補正対象項目名】００４５
【補正方法】削除
【補正の内容】